【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
屈折異常を処置するソフトコンタクトレンズであって：
（ａ）第１視覚ベースカーブで画定される背面曲率と、第１視覚前面カーブで画定される前面曲率と、最小軸方向厚さと、最大軸方向厚さとを有する視覚ゾーンと；
（ｂ）前記視覚ゾーンから半径方向外側に延在する圧力コントロールゾーンであって、圧力コントロールベースカーブで画定される背面曲率と、圧力コントロール前面カーブで画定される前面曲率と、最小軸方向厚さと、最大軸方向厚さとを有する圧力コントロールゾーンと；
（ｃ）前記圧力コントロールゾーンから半径方向外側に延在する位置合わせゾーンであって、位置合わせベースカーブで画定される背面曲率と、位置合わせ前面カーブで画定される前面曲率と、最小軸方向厚さと、最大軸方向厚さとを有する位置合わせゾーンとを備え；
前記圧力コントロールゾーンの最小軸方向厚さは、前記視覚ゾーンの最小軸方向厚さおよび前記位置合わせゾーンの最小軸方向厚さより小さい、または、前記圧力コントロールゾーンの最大軸方向厚さは、前記視覚ゾーンの最大軸方向厚さおよび前記位置合わせゾーンの最大軸方向厚さより大きい；
ソフトコンタクトレンズ。
【請求項２】
前記圧力コントロールゾーンの最小軸方向厚さは、前記視覚ゾーンの最小軸方向厚さおよび前記位置合わせゾーンの最小軸方向厚さより小さい；
請求項１のソフトコンタクトレンズ。
【請求項３】
前記視覚ゾーンは２つまたはそれ以上の分割視覚ゾーンを備え、前記圧力コントロールゾーンの最小軸方向厚さは前記分割視覚ゾーンのそれぞれの最小軸方向厚さより小さく；
前記圧力コントロールゾーンに隣接する第１分割視覚ゾーンと前記第１分割視覚ゾーンの半径方向内側に位置する第２分割視覚ゾーンとを備え；
前記第２分割視覚ゾーンのベースカーブの曲率半径は、前記第１分割視覚ゾーンのベースカーブの曲率半径より短く、または、前記第２分割視覚ゾーンの前面視覚カーブの曲率半径は、前記第１分割視覚ゾーンの前面視覚カーブの曲率半径より長く、前記分割視覚ゾーンは半径方向外側に薄くなっていく；
請求項２のソフトコンタクトレンズ。
【請求項４】
前記第１分割視覚ゾーンと前記第２分割視覚ゾーンの背面曲率は併合して１つもしくはそれ以上の正のｅ値を有し、または、前記第１分割視覚ゾーンと前記第２分割視覚ゾーンの前面曲率は併合して１つもしくはそれ以上の負のｅ値を有し、よって非球面背面曲率もしくは非球面前面曲率を有する徐々に減少する視覚ゾーンを形成し、前記徐々に減少する視覚ゾーンは半径方向外側に薄くなっていく；
請求項３のソフトコンタクトレンズ。
【請求項５】
前記徐々に減少する視覚ゾーンの背面曲率と前記圧力コントロールゾーンの背面曲率は併合し正のｅ値を有し、または、前記徐々に減少する視覚ゾーンの前面曲率と前記圧力コントロールゾーンの前面曲率は併合し負のｅ値を有し、よって非球面背面曲率もしくは非球面前面曲率を有する徐々に減少する視覚−圧力コントロールゾーンを形成し、前記徐々に減少する視覚−圧力コントロールゾーンは半径方向外側に薄くなっていき；
前記徐々に減少する視覚−圧力コントロールゾーンの背面曲率と前記位置合わせゾーンの背面曲率は併合し１つもしくはそれ以上の正のｅ値を有し次にその半径方向外側に１つもしくはそれ以上の負のｅ値を有し、または、前記徐々に減少する視覚−圧力コントロールゾーンと前記位置合わせゾーンの前面曲率は併合し１つもしくはそれ以上の負のｅ値を有し次にその半径方向外側に１つもしくはそれ以上の正のｅ値を有し、よって非球面背面曲率もしくは非球面前面曲率を有する徐々に減少してそれから徐々に増大する視覚−圧力コントロール−位置合わせゾーンを形成し、前記視覚−圧力コントロール−位置合わせゾーンは半径方向外側に薄くなりそれから厚くなる；
請求項４のソフトコンタクトレンズ。
【請求項６】
前記位置合わせゾーンは２つまたはそれ以上の分割位置合わせゾーンを備え、前記圧力コントロールゾーンの最小軸方向厚さは前記分割位置合わせゾーンのそれぞれの最小軸方向厚さより薄く；
第１分割位置合わせゾーンと前記第１分割位置合わせゾーンの半径方向外側に位置する第２分割位置合わせゾーンとを備え；
前記第２分割位置合わせゾーンの背面曲率は、前記第１分割位置合わせゾーンの背面曲率より急勾配で、または、前記第２分割位置合わせゾーンの前面曲率は、前記第１分割位置合わせゾーンの前面曲率より平坦で、前記分割位置合わせゾーンは半径方向外側に厚くなっていく；
請求項３ないし５のいずれか１項のソフトコンタクトレンズ。
【請求項７】
前記第１分割位置合わせゾーンと前記第２分割位置合わせゾーンの背面曲率は併合して負のｅ値を有し、または、前記第１分割位置合わせゾーンと前記第２分割位置合わせゾーンの前面曲率は併合して正のｅ値を有し、よって非球面背面曲率もしくは非球面前面曲率を有する徐々に増大する位置合わせゾーンを形成し、前記徐々に増大する位置合わせゾーンは半径方向外側に厚くなっていく；
請求項６のソフトコンタクトレンズ。
【請求項８】
前記圧力コントロールゾーンの最大軸方向厚さは、前記視覚ゾーンの最大軸方向厚さおよび前記位置合わせゾーンの最大軸方向厚さより大きい；
請求項１のソフトコンタクトレンズ。
【請求項９】
前記視覚ゾーンは２つまたはそれ以上の分割視覚ゾーンを備え、前記圧力コントロールゾーンの最大軸方向厚さは前記分割視覚ゾーンのそれぞれの最大軸方向厚さより大きく；
前記圧力コントロールゾーンに隣接する第１分割視覚ゾーンと前記第１分割視覚ゾーンの半径方向内側に位置する第２分割視覚ゾーンとを備え；
前記第２分割視覚ゾーンの背面曲率は、前記第１分割視覚ゾーンの背面曲率より平坦で、または、前記第２分割視覚ゾーンの前面曲率は、前記第１分割視覚ゾーンの背面曲率より急勾配で、前記分割視覚ゾーンは半径方向外側に厚くなっていく；
請求項８のソフトコンタクトレンズ。
【請求項１０】
前記第１分割位置合わせゾーンと前記第２分割位置合わせゾーンの背面曲率は併合して１つもしくはそれ以上の負のｅ値を有し、または、前記第１分割位置合わせゾーンと前記第２分割位置合わせゾーンの前面曲率は併合して１つもしくはそれ以上の正のｅ値を有し、よって非球面背面曲率もしくは非球面前面曲率を有する徐々に増大する視覚ゾーンを形成し、前記徐々に増大する視覚ゾーンは半径方向外側に厚くなっていき；
前記徐々に増大する視覚ゾーンと前記圧力コントロールゾーンの背面曲率は併合し負のｅ値を有し、または、前記徐々に増大する視覚ゾーンと前記圧力コントロールゾーンの前面曲率は併合し正のｅ値を有し、よって非球面背面曲率もしくは非球面前面曲率を有する徐々に増大する視覚−圧力コントロールゾーンを形成し、前記徐々に増大する視覚−圧力コントロールゾーンは半径方向外側に厚くなっていく；
請求項９のソフトコンタクトレンズ。
【請求項１１】
前記位置合わせゾーンは２つまたはそれ以上の分割位置合わせゾーンを備え、前記圧力コントロールゾーンの最大軸方向厚さは前記分割位置合わせゾーンのそれぞれの最大軸方向厚さより厚く；
第１分割位置合わせゾーンと、前記第１分割位置合わせゾーンの半径方向外側に位置する第２分割位置合わせゾーンを備え；
前記第２分割位置合わせゾーンの背面曲率は、前記第１分割位置合わせゾーンの背面曲率より平坦で、または、前記第２分割位置合わせゾーンの前面曲率は、前記第１分割位置合わせゾーンの前面曲率より急勾配で、前記分割位置合わせゾーンは半径方向外側に薄くなっていく；
請求項８ないし１０のいずれか１項のソフトコンタクトレンズ。
【請求項１２】
前記分割位置合わせゾーンの背面曲率は併合して正のｅ値を有し、または、前記分割位置合わせゾーンの前面曲率は併合して負のｅ値を有し、よって非球面背面曲率もしくは非球面前面曲率を有する徐々に減少する位置合わせゾーンを形成し、前記徐々に減少する位置合わせゾーンは半径方向外側に薄くなっていく；
請求項１１のソフトコンタクトレンズ。
【請求項１３】
前記視覚ゾーンと前記圧力コントロールゾーンの背面曲率は併合し負のｅ値を有し、または、前記視覚ゾーンと前記圧力コントロールゾーンの前面曲率は併合し正のｅ値を有し、よって非球面背面曲率もしくは非球面前面曲率を有する徐々に増大する視覚−圧力コントロールゾーンを形成し、前記徐々に増大する視覚−圧力コントロールゾーンは半径方向外側に厚くなっていき；
前記徐々に増大する視覚−圧力コントロールゾーンの背面曲率と前記位置合わせゾーンの背面曲率は併合し１つもしくはそれ以上の負のｅ値を有し次に半径方向外側に１つもしくはそれ以上の正のｅ値を有し、または、前記徐々に増大する視覚−圧力コントロールゾーンと前記位置合わせゾーの前面曲率は併合し１つもしくはそれ以上の正のｅ値を有し次に半径方向外側に１つもしくはそれ以上の負のｅ値を有し、よって非球面背面曲率もしくは非球面前面曲率を有する徐々に増大し次に徐々に減少する視覚−圧力コントロール−位置合わせゾーンを形成し、前記視覚−圧力コントロール−位置合わせゾーンは半径方向外側に厚くなり次に薄くなっていく；
請求項８ないし１２のいずれか１項のソフトコンタクトレンズ。
【請求項１４】
前記位置合わせゾーンに接続し、前記位置合わせゾーンから半径方向外側に延在する周縁ゾーンをさらに備える；
請求項１のソフトコンタクトレンズ。